(57)【要約】【課題】ディスク出し入れ用の開口部から塵埃等が侵入するのを防止する。【解決手段】ディスクカートリッジ１は、ディスク２００を収納するディスク収納部２を備えたカートリッジ本体部３と、カートリッジ本体部３に移動可能に取付けられていて駆動軸挿入用の開口部４等を開閉するシャッター６と、ディスク収納部２の上部をカートリッジ本体部３の上面３ａ側に開放するディスク出し入れ用の開口部７と、ディスク出し入れ用の開口部７を閉塞するディスク保護シート８と、を備えている。ディスク保護シート８は、カートリッジ本体部３の上面に重ね合わされて前記ディスク出入用の開口部７を塞ぐシート本体部１１と、シート本体部１１を前記カートリッジ本体部３の上面に接着する接着剤層１２と、を備えている。【選択図】　図１
2004139675.tif 000002
【特許請求の範囲】
【請求項１】
ディスク収納部の上部を上面側に開放してディスク収納部と略同径のディスク出入用の開口部を設けたカートリッジ本体部と、カートリッジ本体部に移動可能に取付けられていてディスク収納部の底面に設けた駆動軸挿入用の開口部を開閉するシャターと、前記カートリッジ本体部のディスク出入用の開口部を塞ぐ蓋部と、を備え、
前記蓋部は、カートリッジ本体部の上面に重ね合わされて前記ディスク出入用の開口部を塞ぐシート本体部と、該シート本体部を前記カートリッジ本体部の上面に接着している接着剤層と、を備えたディスク保護シートで構成されている
ことを特徴とするディスクカートリッジ。
【請求項２】
前記ディスク保護シートのシート本体部は、前記ディスク出入用の開口部上に位置する開口閉塞部と、該開口閉塞部の周縁部に位置して前記カートリッジ本体部の上面に重なり合うカートリッジ本体重合部と、を備え、
前記接着剤層は、前記カートリッジ本体重合部に設けられている
ことを特徴とする請求項１に記載のディスクカートリッジ。
【請求項３】
前記ディスク保護シートの接着剤層は、反復接着性を有する感圧粘着剤により形成されている
ことを特徴とする請求項１に記載のディスクカートリッジ。
【請求項４】
前記ディスク保護シートのシート本体部は、前記カートリッジ本体部に重ね合せた状態において該カートリッジ本体部の外側に突出する剥離用の凸部を前記カートリッジ本体重合部の外側に備えている
ことを特徴とする請求項３に記載のディスクカートリッジ。
【請求項５】
前記ディスク保護シートのシート本体部には、帯電防止処理が施されている
ことを特徴とする請求項１に記載のディスクカートリッジ。
【請求項６】
前記ディスク保護シートのシート本体部には、文字及び／又は図形からなる印刷部が設けられている
ことを特徴とする請求項１に記載のディスクカートリッジ。
【請求項７】
ディスク収納部の上部を上面側に開放してディスク収納部と略同径のディスク出入用の開口部を設けたカートリッジ本体部と、カートリッジ本体部に移動可能に取付けられていてディスク収納部の底面に設けた駆動軸挿入用の開口部を開閉するシャターと、を備えたディスクカートリッジの前記ディスク出入用の開口部を塞ぐディスク保護シートであって、
前記ディスク出入用の開口部上に位置する開口閉塞部と、該開口閉塞部の周縁部に位置して前記カートリッジ本体部の上面に重なり合うカートリッジ本体重合部と、を備え、
前記カートリッジ本体重合部には、前記カートリッジ本体部に接着する接着剤層が設けられている
ことを特徴とするディスク保護シート。
【請求項８】
前記接着剤層が設けられた面と反対側の面には、記録受容層が設けられている
ことを特徴とする請求項１に記載のディスク保護シート。
【請求項９】
表面に記録受容層を備え、規格サイズに作られたシートを型抜きすることにより形成されている
ことを特徴とする請求項７に記載のディスク保護シート
【発明の詳細な説明】
【０００１】
【発明の属する技術分野】
本発明は、カートリッジ本体部のディスク収納部の上部を上面側に開放してディスク収納部と略同径のディスク出入用の開口部を設け、該開口部からディスク収納部内にディスクを収納して記録及び／又は再生装置に装填するディスクカートリッジ及び該ディスクカートリッジの前記ディスク出入用の開口部を閉塞して塵埃等が侵入するのを防止するディスク保護シートに関するものである。
【０００２】
【従来の技術】
ディスクを収納するディスクカートリッジとして、例えば、光ディスクや光磁気ディスク等を収納したディスクカートリッジが知られている。図１４に示すように、前記ディスクカートリッジ１００は、情報記録媒体としてのディスク２００を収納するディスク収納部（以下、ディスク収納部と称する）１０１を備えたカートリッジ本体部１０２と、カートリッジ本体部１０２に移動可能に取付けられていて該カートリッジ本体部１０２に設けた駆動軸挿入用の開口部１０３及び記録及び／又は再生用の開口部１０４を開閉するシャター１０５と、を備えている。
【０００３】
前記カートリッジ本体部１０２は、上ハーフ１０６と下ハーフ１０７を突き合わせてネジ１０８や溶着等の方法で両者を一体的に結合することにより形成されている。このため、ディスクカートリッジ１００とディスク２００は、一体不可分で、ディスク２００とディスクカートリッジ１００が常にペアとして販売されるために、その分、コストが高くなる。
【０００４】
そこで、図１５に示すように、駆動軸挿入用の開口部や記録及び／又は再生用の開口部（図示省略）を有するカートリッジ本体部１０２の一側端に、前記開口部を開閉するための断面コ字状のシャッター１０５を前記一側端に沿って移動自在に設けると共に、前記カートリッジ本体部１０２の前記一側端に対して対辺に位置する他端側にディスク挿入口１０９を形成し、このディスク挿入口１０９を開閉自在に塞ぐ蓋部材１１０を設けたディスクカートリッジ３００が開発されている。（例えば、特許文献１参照。）。
【０００５】
また、図１６に示すように、カートリッジ本体部１０２の上ハーフ１０６の主面部の一部１１１を、ヒンジ部１１２によって回動開閉可能にして、ディスク２００を交換可能にしたディスクカートリッジ４００が開発されている。（例えば、特許文献２参照。）。
【０００６】
【特許文献１】
特開平６−１２８１４号公報（特許請求の範囲、第１図）
【０００７】
【特許文献２】
特開平９−２１３０４３号公報（特許請求の範囲、第１図）
【０００８】
【発明が解決しようとする課題】
ところで、前記従来のディスクカートリッジ３００、４００に使用されるディスク２００は、図１７に示すように、中央部に磁性ハブ２０１を備えていて、記録及び／又は再生装置（図示省略）のターンテーブル５０１にマグネット５０２によって吸着チャッキングされる所謂マグネット・チャッキング方式のディスクであって、図１８に示すように、ディスク２００の中央部に磁性ハブ２０１を備えておらず、センター孔２０２のみが設けられていて記録及び／又は再生装置に設けたクランプ部材５０３によってターンテーブル５０１上に挟着されてチャッキングされる所謂メカニカル・チャッキング方式のディスクカートリッジ６００には、使用できないという課題があった。
【０００９】
何故ならば、前記従来のディスクカートリッジ３００、４００は、ディスク収納部の上部（ディスクカートリッジ４００は、ディスク収納部の上部の中央部）が塞がれた状態になっていて、記録及び／又は再生装置側に設けたクランプ部材５０３をカートリッジ内に導入できないからである。
【００１０】
また、特許文献２のディスクカートリッジ４００は、ディスク収納部の上部を所謂半開きにする構成であるために、ディスク収納部の上部を全開する場合に比べてディスクをディスク収納部に挿入し難いという課題があった。
【００１１】
そこで、図１９に示すように、ディスク収納部１０１の上部を上面側に開放してディスク収納部１０１と略同径のディスク出入用の開口部１２１を設け、該開口部１２１からディスク２００を出し入れすることも考えられるが、ディスク収納部１０１の上部に該ディスク収納部１０１と略同径のディスク出入用の開口部１２１を設けると、ディスク収納部１０１からディスクが脱落し易く、また、ディスク出入用の開口部１２１から塵埃等がディスク収納部１０１内に侵入して、ディスクの情報記録面に付着してしまうという欠点がある。
【００１２】
本発明の目的は、前記ディスク収納部１０１の上部にディスク収納部１０１と略同径のディスク出入用の開口部１２１を設けたディスクカートリッジにおいても、ディスクが前記ディスク出入用の開口部１２１から脱落するのを防止することができると共に、前記ディスク出入用の開口部１２１から塵埃等が侵入するのを防止することのできるディスクカートリッジ及びディスク保護シートを提供することにある。
【００１３】
【課題を解決するための手段】
請求項１の発明は、ディスク収納部の上部を上面側に開放してディスク収納部と略同径のディスク出入用の開口部を設けたカートリッジ本体部と、カートリッジ本体部に移動可能に取付けられていてディスク収納部の底面に設けた駆動軸挿入用の開口部を開閉するシャターと、前記カートリッジ本体部のディスク出入用の開口部を塞ぐ蓋部と、を備えたディスクカートリッジにおいて、
前記蓋部を、カートリッジ本体部の上面に重ね合わされて前記ディスク出入用の開口部を塞ぐシート本体部と、該シート本体部を前記カートリッジ本体部の上面に接着している接着剤層と、を備えたディスク保護シートで構成し、
前記接着剤層でシート本体部をカートリッジ本体部の上面に接着して前記カートリッジ本体部のディスク出入用の開口部を塞いで、該ディスク出入用の開口部からディスクが脱落することを防止すると共に、前記ディスク出入用の開口部から塵埃等が侵入するのを防止した。
【００１４】
請求項２の発明は、請求項１のディスクカートリッジにおいて、
前記ディスク保護シートのシート本体部に、前記ディスク出入用の開口部上に位置する開口閉塞部と、該開口閉塞部の周縁部に位置して前記前記接着剤層での上面に重なり合うカートリッジ本体重合部と、を設け、該カートリッジ本体重合部に前記接着剤層を設けることにより、
カートリッジ本体重合部のみを接着剤層でカートリッジ本体部に貼付け、開口閉塞部はカートリッジ本体部に貼付くことがないようにすると共に、開口閉塞部にディスク等が貼付くことがないようにした。
【００１５】
請求項３の発明は、請求項２のディスクカートリッジにおいて、
前記ディスク保護シートの接着剤層を、反復接着性を有する感圧粘着剤で形成することにより、
ディスク保護シートを反復使用できるようにした。
【００１６】
請求項４の発明は、請求項３のディスクカートリッジにおいて、
前記ディスク保護シートのシート本体部のカートリッジ本体重合部の外側に、前記カートリッジ本体部に重ね合せた状態において該カートリッジ本体部の外側に突出する剥離用の凸部を設けることにより、
前記剥離用の凸部を摘まんで引っ張ることによりカートリッジ本体部からシート本体部を容易に剥離することができるようにした。
【００１７】
請求項５の発明は、請求項３のディスクカートリッジにおいて、
前記ディスク保護シートのシート本体部に帯電防止処理を施すことにより、
前記シート本体部を剥離する際などにおいて静電気が発生するのを抑制して静電気による塵埃等の吸引吸着を防止した。
【００１８】
請求項６の発明は、請求項２のディスクカートリッジにおいて、
前記ディスク保護シートのシート本体部に、文字及び／又は図形からなる印刷部を設けることにより、
収納されているディスクの種類や性能等を表示したり、或いは模様等を表示してディスクカートリッジの美的効果等を向上させた。
【００１９】
請求項７の発明は、ディスク収納部の上部を上面側に開放してディスク収納部と略同径のディスク出入用の開口部を設けたカートリッジ本体部と、カートリッジ本体部に移動可能に取付けられていてディスク収納部の底面に設けた駆動軸挿入用の開口部を開閉するシャターと、を備えたディスクカートリッジの前記ディスク出入用の開口部を塞ぐディスク保護シートにおいて、
前記ディスク出入用の開口部上に位置する開口閉塞部と、該開口閉塞部の周縁部に位置して前記カートリッジ本体部の上面に重なり合うカートリッジ本体重合部と、を設け、前記カートリッジ本体重合部に接着剤層を設けたので、
前記接着剤層でシート本体部をカートリッジ本体部の上面に接着して前記カートリッジ本体部のディスク出入用の開口部を塞いで、該ディスク出入用の開口部からディスクが脱落することを防止すると共に、前記ディスク出入用の開口部から塵埃等が侵入するのを防止して、前記ディスクカートリッジの製品価値をより一層向上させることができる。
【００２０】
請求項８の発明は、請求項７のディスク保護シートにおいて、
前記接着剤層を設けた面と反対側の面に、記録受容層を設けたので、
前記記録受容層に必要な事項を記録することが可能になる。
【００２１】
請求項９の発明は、請求項８のディスク保護シートにおいて、
表面に記録受容層を設けた例えばＡ−４版等の規格サイズのシート本体部を型抜きして形成する構成にしたので、
型抜きする前のＡ−４版等の規格サイズのシートの段階でプリンター等にかけて印刷を施すことができる。
【００２２】
【発明の実施の形態】
図１はカートリッジ本体部からディスク保護シートを剥離した状態のディスクカートリッジの斜視図、図２はカートリッジ本体部にディスク保護シートを貼り付けた状態のディスクカートリッジの斜視図、図３はディスクカートリッジを底面側から見た斜視図である。
【００２３】
ディスクカートリッジ１は、ディスク２００を収納するディスク収納部２を備えたカートリッジ本体部３と、カートリッジ本体部３に移動可能に取付けられていてディスク収納部２の底面に設けた駆動軸挿入用の開口部４や記録及び／又は再生用の開口部５を開閉するシャッター６と、前記ディスク収納部２の上部をカートリッジ本体部３の一方の主面である上面３ａ側に開放するディスク出し入れ用の開口部７と、該ディスク出し入れ用の開口部７を閉塞する蓋部としてのディスク保護シート８と、を備えている。
【００２４】
カートリッジ本体部３は、図４の分解斜視図に示したように、ポリカーボネート（ＰＣ）、アクリルブチレンスチロール（ＡＢＳ）、ポリスチレン（ＰＳ）、ハイインパクトポリスチレン（ＧＰ−ＰＳ）等のプラスチック等の熱可塑性樹脂により射出成形された上ハーフ２１と下ハーフ２２とをネジ２３等で結合することにより構成されている。
【００２５】
上ハーフ２１は、ディスク収納部２を構成する略円形状の周壁２４やディスク収納部２の上方をカートリッジ本体部３の上面３ａ側に開放するディスク出し入れ用の開口部７と、該開口部７の一側部に設けられた円弧状のディスク脱落防止用の凸部９を備えている。また、下ハーフ２２は、前記上ハーフ２１側の周壁２４と共同してディスク収納部２を構成する複数の略円弧状の周壁２５や駆動軸挿入用の開口部４、記録及び／又は再生用の開口部５等を備えていると共に、誤消去防止部材２６が移動可能に取付けられている。また、前記下ハーフ２２の外側面（図４の下面）にはシャッター６の移動範囲（移動エリア）を設定するシャッター移動凹部２７が設けられていて、該シャッター移動凹部２７上にシャッター６が重ね合わされている。
【００２６】
シャッター６は、ステンレススチールやアルミニューム等の肉厚０．１〜０．５ｍｍ程度の薄板を矩形状に打ち抜くことにより形成されていて、長手方向の一端部に折り曲げ形成されたスライダー取付部６ａにネジ３０によりスライダー３１が取付けられている。前記スライダー３１は、上ハーフ２１と下ハーフ２２の間に挟まれた状態でカートリッジ本体部３の一側部にスライド可能に取付けられていて、シャッター６を駆動軸挿入用の開口部４、記録及び／又は再生用の開口部５を閉塞する位置と、開放する位置との間でシャッター６を移動させるようになっている。
【００２７】
前記シャッター６は、スライダー３１に作用するシャタースプリング３２のバネ力によって通常は駆動軸挿入用の開口部４、記録及び／又は再生用の開口部５を閉塞する位置にセットされている。なお、前記シャッター６の自由端側６ｂ（スライダー取付部６ａと反対側）は、シャターガイドプレート３３によってスライドをガイドされると共に、下ハーフ２２のシャッター移動凹部２７から捲くれ上がるのを阻止されている。
【００２８】
図５の断面図に示したように、前記ディスク保護シート８は、カートリッジ本体部３の上面に重ね合わされて前記ディスク出入用の開口部７を塞ぐシート本体部１１と、該シート本体部１１を前記カートリッジ本体部３の上面に接着する接着剤層１２と、を備えている。
【００２９】
前記ディスク保護シート８のシート本体部１１は、ポリエチレン（ＰＥ）、ポリプロピレン（ＰＰ）、ポリスチレン（ＰＳ）、ポリエチレンテレフタレート（ＰＥＴ）等の合成樹脂、或いはナイロン、レーヨン、ポリエチレンテレフタレート等の繊維を熱溶着し、又はバインダ等を使用して固着シート化したもの、ポリスチレン等の合成樹脂を発泡させてシート化したもの、前記シートを積層した所謂ラミネートシート等により、１０μｍ〜０．５ｍｍ程度（好ましくは２５μｍ〜０．３ｍｍ）の厚さに形成されている。
【００３０】
前記シート本体部１１は、前記ディスク出入用の開口部７上に位置する開口閉塞部１３と、該開口閉塞部１３の周縁部に位置して前記カートリッジ本体部３の上面３ａの前記ディスク出入用の開口部７の外側に重なり合うカートリッジ本体重合部１４と、を備えている。前記接着剤層１２は、カートリッジ本体重合部１４の裏面に設けられている。前記接着剤層１２は、反復接着性を有する公知の感圧粘着剤等により形成されている。
【００３１】
次に前記ディスクカートリッジ１の作用について説明する。
【００３２】
ディスクカートリッジ１は、カートリッジ本体部３のディスク収納部２にディスク２００を収納し、且つカートリッジ本体部３の上面にディスク保護シート８を貼り付けてディスク出し入れ用の開口部７からディスク収納部２内に塵埃等が侵入することないようにした状態で販売等に供される。
【００３３】
ディスクカートリッジ１を記録及び／又は再生装置に挿入すれば、該装置に設けたシャッター開放部材によって、シャッター６が移動して、駆動軸挿入用の開口部４と記録及び／又は再生用の開口部５が開放される。
【００３４】
前記カートリッジ本体部３のディスク収納部２に収納されているディスク２００が中央部に磁性ハブ２０１を有するものである場合には、これをマグネット・チャッキング方式の記録及び／又は再生装置に装填すると、駆動軸挿入用の開口部４からディスクカートリッジ１内にターンテーブルが導入されて、該ターンテーブルにディスク２００の磁性ハブ２０１がマグネット・チャッキングされる。
【００３５】
また、カートリッジ本体部３のディスク収納部２に収納されているディスク２００が中央部に磁性ハブ２０１を有しないものである場合には、ディスク保護シート８を剥ぎ取ってディスク出し入れ用の開口部７を開放した状態でこれをメカニカル・チャッキング方式の記録及び／又は再生装置に装填すると、駆動軸挿入用の開口部４からディスクカートリッジ１内にターンテーブル５０１が導入されて、該ターンテーブル５０１上にディスクが載置されると共に、記録及び／又は再生装置に設けたクランプ部材５０３がディスクカートリッジ１のディスク出し入れ用の開口部７からディスクカートリッジ１内に導入されて、ディスクは、クランプ部材５０３でターンテーブル５０１上に押し付けられてメカニカル・チャッキングされるのである。
【００３６】
図６は、ディスク保護シート８の他の実施例を示す。この実施例は前記シート本体部１１に帯電防止処理加工を施した場合を示す。
【００３７】
前記帯電防止処理加工は、前記シート本体部１１の表面に帯電防止層１５を設けることにより行われる。
【００３８】
帯電防止層１５は、市販のアニオン系、カチオン系または非イオン系の界面活性剤や極性のある高分子材料からなる帯電防止剤を、例えばイソプロピルアルコール等の溶剤により希釈してロールコーター等を使用して塗布することにより形成され、或いは酸化錫、アンチモン等の導電性微粉末をポリエステル系の樹脂溶液に数重量％添加したものを塗布することにより形成されるが、シート本体部１１を形成する際に樹脂素材にカーボン等を混入してシート本体部１１そのものに帯電防止機能を持たせても良い。なお、帯電防止層１５は、シート本体部１１の裏面の前記接着剤層１２を設けた部分以外の個所に設けても良い。
【００３９】
図７〜図８は、ディスク保護シート８の他の実施例を示す。この実施例において、前記シート本体部１１は、表面及び／又は裏面に文字や図形等からなる印刷部４１を備えている。
【００４０】
前記印刷部４１は、ディスク保護シート８の使用方法やディスクの性能、種類、メーカー名、商標等を表示することにより、ディスクカートリッジ１をより使用し易くすると共に、ディスクカートリッジ１に意匠的効果や美的効果を付与している。他の構成は前述した基本のディスク保護シート８と同様の構成であるので重複する説明は省略する。
【００４１】
図９は、ディスク保護シート８の他の実施例を示す。この実施例において、前記シート本体部１１は、その表面（接着剤層１２を設けた面と反対側の面）に使用者が自由に文字等を記入するための記録受容層５１を備えている。
【００４２】
前記記録受容層５１は、公知の紫外線硬化樹脂にプロテインパウダーや木材系のセルロースのような親水性材、表面コントロールのための炭酸カルシウムやクレーのような微粉体を適宜混練したものをシート本体部３の表面に塗布することにより形成されている。
【００４３】
前記記録受容層５１は、親水性を有していることにより使用者が記録内容等の個人的な情報を水性ペン等を用いて記入したり、或いはインクジェットプリンター等のプリンターを用いて文字や画像等を記録することができる。
【００４４】
市販のプリンターを利用して印刷し易くするために、図１０に示すように、略Ａ−４版等の規格サイズに作られたシート本体部１１からディスク保護シート８を型抜きするようになっている。
【００４５】
図１１に示すように、前記シート本体部１１は、裏面側に接着剤層１２を介して剥離紙５２が剥離可能に取付けられていて、表面側に記録受容層５１が設けられている。
【００４６】
記録受容層５１からシート本体部１１及び接着剤層１２にかけてディスク保護シート形状の打抜部（ハーフカット部）５３が設けられている。そして、前記記録受容層５１にプリンターで印刷を施したのちに、前記打抜部５３でシート本体部１１の一部を分離することにより、ディスク保護シート８を形成するようになっている。他の構成は前述した基本のディスク保護シート８と同様の構成であるので重複する説明は省略する。
【００４７】
図１２〜図１３は、ディスク保護シート８の他の実施例を示す。この実施例において、ディスク保護シート８は、これを取付けたカートリッジ本体部３の外周部から突出する剥離用の凸部６１を備えている。
【００４８】
剥離用の凸部６１は、接着剤層１２を有しておらず、ディスク保護シート８をカートリッジ本体部３に貼り付けたときに、前記剥離用の凸部６１は、カートリッジ本体部３の外周部から突出するようになっている。
【００４９】
そして、前記剥離用の凸部６１を引っ張ってカートリッジ本体部３からディスク保護シート８を容易に剥離することが可能になる。他の構成は前述した基本のディスク保護シート８と同様の構成であるので重複する説明は省略する。
【００５０】
【発明の効果】
本発明のディスクカートリッジ及びディスク保護シートには次に述べるような効果がある。
（１）請求項１のディスクカートリッジは、蓋部としてのディスク保護シートを接着剤層でカートリッジ本体部の上面に接着して前記カートリッジ本体部のディスク出入用の開口部を塞いで、該ディスク出入用の開口部からディスクが脱落することを防止すると共に、前記ディスク出入用の開口部から塵埃等が侵入するのを防止する。
（２）請求項２のディスクカートリッジは、ディスク保護シートのカートリッジ本体重合部のみを接着剤層でカートリッジ本体部に貼付け、開口閉塞部はカートリッジ本体部に貼付くことがなく、開口閉塞部にディスクが貼付くことがない。（３）請求項３のディスクカートリッジは、接着剤層を、反復接着性を有する感圧粘着剤で形成したので、ディスク保護シートを反復使用できる。
（４）請求項４のディスクカートリッジは、ディスク保護シートにカートリッジ本体部の外周部から突出する剥離用の凸部を設けたので、該剥離用の凸部を引っ張ってカートリッジ本体部からディスク保護シートを容易に剥離することができる。
（５）請求項５のディスクカートリッジは、ディスク保護シートを剥離する際などにおいて静電気が発生するのを抑制して静電気による塵埃等の吸引吸着を防止する。
（６）請求項６のディスクカートリッジは、印刷部によりディスク保護シートの使用方法やディスクの性能、種類、メーカー名、商標等を表示し、ディスクカートリッジをより使用し易くすると共に、ディスクカートリッジに美的効果を付与することができる。
（７）請求項７のディスク保護シートは、ディスクカートリッジのカートリッジ本体部の上面に接着してディスクカートリッジのディスク出入用の開口部を塞いで、該ディスク出入用の開口部からディスクが脱落することを防止すると共に、前記ディスク出入用の開口部から塵埃等が侵入するのを防止し、前記ディスクカートリッジの製品価値を高めることができる。
（８）請求項８のディスク保護シートは、記録受容層を設けたので、該記録受容層に必要な事項を記録することができる。
（９）請求項９のディスク保護シートは、Ａ−４版等の規格サイズに作られていて、表面に記録受容層を設けたシート本体部を型抜きして形成されていて、型抜きする前は、Ａ−４版等の規格サイズに作られているので、プリンター等を使用しての印刷を容易に行なうことができる。
【図面の簡単な説明】
【図１】ディスク保護シートを剥離した状態のディスクカートリッジの斜視図。
【図２】ディスク保護シートを貼り付けた状態のディスクカートリッジの斜視図。
【図３】ディスクカートリッジを裏面側から見た斜視図。
【図４】ディスクカートリッジの分解斜視図。
【図５】図１のＡ−Ａ断面図。
【図６】ディスク保護シートの他の実施例の断面図。
【図７】ディスク保護シートの他の実施例の平面図。
【図８】図７のＢ−Ｂ断面図。
【図９】ディスク保護シートの他の実施例の断面図。
【図１０】ディスク保護シートの製造方法の一例を示す平面図。
【図１１】図１０のＣ−Ｃ断面図。
【図１２】ディスク保護シートの他の実施例の平面図。
【図１３】図１２のＤ−Ｄ断面図。
【図１４】従来例の斜視図。
【図１５】他の従来例の斜視図。
【図１６】他の従来例の斜視図。
【図１７】ディスクをマグネット・チャッキングした状態の断面図。
【図１８】ディスクをメカニカル・チャッキングした状態の断面図。
【図１９】他の従来例の斜視図。
【符号の説明】
１…ディスクカートリッジ、２…ディスク収納部、３…カートリッジ本体部、４…駆動軸挿入用の開口部、５…記録及び／又は再生用の開口部、６…シャッター、７…ディスク出し入れ用の開口部、８…ディスク保護シート（蓋部）、１１…シート本体部、１２…接着剤層、１３…開口閉塞部、１４…カートリッジ本体重合部、１５…帯電防止層、４１…印刷部、５１…記録受容層、６１…剥離用の凸部、２００…ディスク、２０１…磁性ハブ。
【図１】
2004139675.tif 000003
【図２】
2004139675.tif 000004
【図３】
2004139675.tif 000005
【図４】
2004139675.tif 000006
【図５】
2004139675.tif 000007
【図６】
2004139675.tif 000008
【図７】
2004139675.tif 000009
【図８】
2004139675.tif 000010
【図９】
2004139675.tif 000011
【図１０】
2004139675.tif 000012
【図１１】
2004139675.tif 000013
【図１２】
2004139675.tif 000014
【図１３】
2004139675.tif 000015
【図１４】
2004139675.tif 000016
【図１５】
2004139675.tif 000017
【図１６】
2004139675.tif 000018
【図１７】
2004139675.tif 000019
【図１８】
2004139675.tif 000020
【図１９】
2004139675.tif 000021